【手続補正書】
【提出日】平成19年6月21日(2007.6.21)
【手続補正１】
【補正対象書類名】特許請求の範囲
【補正対象項目名】全文
【補正方法】変更
【補正の内容】
【特許請求の範囲】
【請求項１】
テレコミュニケーションネットワークに使用するためのセキュリティサーバであって、
メッセージを受信し、
該メッセージがセキュリティチェックを通ったかどうかを決定し、
この決定の結果に関係なく前記メッセージを前記テレコミュニケーションネットワーク内で転送するが、前記決定の結果が前記メッセージがセキュリティチェックを通っていないということであった場合には、前記メッセージがセキュリティチェックを通っていないということを示すよう前記メッセージを変更する、
ように構成されたことを特徴とするセキュリティサーバ。
【請求項２】
前記テレコミュニケーションネットワークの外部からメッセージを受信するように構成された請求項１に記載のセキュリティサーバ。
【請求項３】
前記メッセージがセキュリティチェックを通っていないということを示すパラメータを前記メッセージに追加することにより、該メッセージがセキュリティチェックを通っていないということを示すよう前記メッセージを変更するように構成された請求項１に記載のセキュリティサーバ。
【請求項４】
認識ヘッダを含むメッセージを受信するように構成され、更に、前記メッセージの認識ヘッダに前記パラメータを追加するように構成された請求項３に記載のセキュリティサーバ。
【請求項５】
前記メッセージがＳＩＰメッセージを含む請求項４に記載のセキュリティサーバ。
【請求項６】
前記認識ヘッダがＰ−アサーテッド−認識を含む請求項４に記載のセキュリティサーバ。
【請求項７】
認識ヘッダを含むメッセージを受信するように構成され、更に、前記認識ヘッダの少なくとも一部分を除去することにより、該メッセージがセキュリティチェックを通っていないということを示すよう前記メッセージを変更するように構成された請求項１に記載のセキュリティサーバ。
【請求項８】
前記認識ヘッダが特定形式のものであるかどうかを検出し、もしそうであれば、前記ヘッダの少なくとも一部分を除去するように構成された請求項７に記載のセキュリティサーバ。
【請求項９】
前記メッセージがＳＩＰメッセージを含む請求項７に記載のセキュリティサーバ。
【請求項１０】
前記認識ヘッダがＰ−アサーテッド−認識形式のものを含むかどうかを検出するように構成された請求項８に記載のセキュリティサーバ。
【請求項１１】
前記メッセージが保安手段を経て受信されたかどうかを決定することにより、前記メッセージがセキュリティチェックを通ったかどうかを決定するように構成された請求項１に記載のセキュリティサーバ。
【請求項１２】
前記保安手段がＺａインターフェイスである請求項１１に記載のセキュリティサーバ。
【請求項１３】
質問コールセッション制御ファンクションを含む請求項１に記載のセキュリティサーバ。
【請求項１４】
テレコミュニケーションネットワークに使用するためのネットワーク処理要素であって、
別のネットワーク要素からメッセージを受信し、
前記メッセージがセキュリティチェックを通っていないということを示すように変更されたかどうかを決定し、前記メッセージがそのように変更されている場合には、該メッセージに関して１つ以上のセキュリティチェックを実行する、
ように構成されたことを特徴とするネットワーク処理要素。
【請求項１５】
前記メッセージの認識ヘッダが追加パラメータを含むかどうかを検出することにより、前記メッセージがセキュリティチェックを通っていないということを示すように該メッセージの認識ヘッダが変更されたかどうかを決定するように構成された請求項１４に記載のネットワーク処理要素。
【請求項１６】
前記メッセージがＳＩＰメッセージを含む請求項１５に記載のネットワーク処理要素。
【請求項１７】
前記認識ヘッダがＰ−アサーテッド−認識を含む請求項１５に記載のネットワーク処理要素。
【請求項１８】
前記メッセージの認識ヘッダの全部又は一部分が除去されたかどうかを決定することにより、前記メッセージがセキュリティチェックを通っていないということを示すように変更されたかどうかを決定するように構成される請求項１４に記載のネットワーク処理要素。
【請求項１９】
前記メッセージがＳＩＰメッセージを含む請求項１８に記載のネットワーク処理要素。
【請求項２０】
前記認識ヘッダがＰ−アサーテッド−認識を含む請求項１８に記載のネットワーク処理要素。
【請求項２１】
サービングコールセッション制御ファンクションを含む請求項１４に記載のネットワーク処理要素。
【請求項２２】
セキュリティサーバとネットワーク処理要素とを備えたテレコミュニケーションネットワークであって、
メッセージを受信し、
該メッセージがセキュリティチェックを通ったかどうかを決定し、
この決定の結果が前記メッセージがセキュリティチェックを通っていないということであった場合には、前記メッセージがセキュリティチェックを通っていないということを示すよう前記メッセージを変更し、
前記決定の結果に関係なく前記メッセージを前記ネットワーク処理要素に転送する、
ように構成されたことを特徴とするテレコミュニケーションネットワーク。
【請求項２３】
前記セキュリティサーバが前記テレコミュニケーションネットワークの外部からメッセージを受信するように構成された請求項２２に記載のテレコミュニケーションネットワーク。
【請求項２４】
前記ネットワーク処理要素が、
前記セキュリティサーバにより転送されたメッセージを受信し、
前記メッセージがセキュリティチェックを通っていないということを示すように変更されたかどうかを決定し、前記メッセージがそのように変更されている場合には、該メッセージに関して１つ以上のセキュリティチェックを実行する、
ように構成された請求項２２に記載のテレコミュニケーションネットワーク。
【請求項２５】
テレコミュニケーションネットワークにおいてメッセージのセキュリティチェックを実行する方法であって、
セキュリティチェックを通っていないメッセージを受信するステップと、
前記メッセージがセキュリティチェックを通っていないということを決定するステップと、
前記メッセージがセキュリティチェックを通っていないということを示すように該メッセージを変更するステップと、
前記メッセージを前記テレコミュニケーションネットワーク内で転送するステップと、を含むことを特徴とする方法。
【請求項２６】
テレコミュニケーションネットワークに使用するためのセキュリティサーバであって、
メッセージを受信し、
前記メッセージがセキュリティチェックを通ったかどうかを決定し、
この決定の結果に関係なく前記メッセージを前記テレコミュニケーションネットワーク内で転送するが、前記決定の結果が前記メッセージがセキュリティチェックを通っていないということであった場合には、前記メッセージがセキュリティチェックを通っていないということを示すように前記メッセージを転送する、
ように構成されたことを特徴とするセキュリティサーバ。
【請求項２７】
前記テレコミュニケーションネットワークの外部から前記メッセージを受信するように構成された請求項２６に記載のセキュリティサーバ。
【請求項２８】
前記メッセージがセキュリティチェックを通っていないと決定された場合には、セキュリティを伴わずに前記メッセージを転送するように構成された請求項２６に記載のセキュリティサーバ。
【請求項２９】
前記メッセージがセキュリティチェックを通ったと決定された場合には、セキュリティを伴って前記メッセージを転送するように構成された請求項２６に記載のセキュリティサーバ。
【請求項３０】
前記セキュリティがＺｂインターフェイスを含む請求項２８に記載のセキュリティサーバ。
【請求項３１】
前記メッセージがＳＩＰメッセージを含む請求項２６に記載のセキュリティサーバ。
【請求項３２】
質問コールセッション制御ファンクションを含む請求項２６に記載のセキュリティサーバ。
【請求項３３】
セキュリティサーバとネットワーク処理要素とを備えたテレコミュニケーションネットワークであって、前記セキュリティサーバが、
メッセージを受信し、
前記メッセージがセキュリティチェックを通ったかどうかを決定し、
この決定の結果に関係なく前記メッセージを前記ネットワーク処理要素に転送するが、前記決定の結果が前記メッセージがセキュリティチェックを通っていないということであった場合には、前記メッセージがセキュリティチェックを通っていないということを示すよう前記メッセージを転送する、
ように構成されたテレコミュニケーションネットワーク。
【請求項３４】
前記セキュリティサーバが前記テレコミュニケーションネットワークの外部からメッセージを受信するように構成された請求項３３に記載のテレコミュニケーションネットワーク。
【請求項３５】
内部セキュリティシステムを更に備え、
前記セキュリティサーバは、メッセージがセキュリティチェックを通ったと決定された場合には、前記内部セキュリティシステムを経て前記メッセージを転送するように構成され、
前記セキュリティシステムは、メッセージがセキュリティチェックを通っていないと決定された場合には、当該内部セキュリティシステムを経て前記メッセージを転送しないように構成された、請求項３３に記載のテレコミュニケーションネットワーク。
【請求項３６】
前記内部セキュリティシステムがＵＭＴＳ指定のセキュリティシステムを含む請求項３５に記載のテレコミュニケーションネットワーク。
【請求項３７】
前記内部セキュリティシステムがＺｂインターフェイスを含む請求項３５に記載のテレコミュニケーションネットワーク。
【請求項３８】
前記メッセージがＳＩＰメッセージを含む請求項３３に記載のテレコミュニケーションネットワーク。
【請求項３９】
前記セキュリティサーバは、メッセージが保安手段を経て受信されたかどうかを決定することにより、前記メッセージがセキュリティチェックを通ったかどうかを決定するように構成された請求項３３に記載のテレコミュニケーションネットワーク。
【請求項４０】
前記保安手段がＵＭＴＳ標準セキュリティ手段を含む請求項３９に記載のテレコミュニケーションネットワーク。
【請求項４１】
前記保安手段がＺａインターフェイスを含む請求項３９に記載のテレコミュニケーションネットワーク。
【請求項４２】
前記セキュリティサーバが質問コールセッション制御ファンクションを含む請求項３３に記載のテレコミュニケーションネットワーク。
【請求項４３】
テレコミュニケーションネットワークにおいてメッセージに対するセキュリティチェックを実行する方法であって、
セキュリティチェックを通っていないメッセージを受信するステップと、
前記メッセージがセキュリティチェックを通っていないということを決定するステップと、
前記メッセージがセキュリティチェックを通っていないということを示すように該メッセージを前記テレコミュニケーションネットワーク内で転送するステップと、
を含むことを特徴とする方法。